(57)【要約】【課題】  これまでの方法及び装置を越える利点を持つネットワーク取得方法及びセルラー無線通信装置を提供する。【解決手段】  本発明は、複数の無線アクセス技術に従って動作すべく構成されたセルラー無線通信装置のためのネットワーク取得方法であって、１つの無線アクセス技術に適したセルを識別するサーチを行い、前記１つの無線アクセス技術に適したセルを識別するステップを含むネットワーク取得方法であり、前記複数の無線アクセス技術における他の複数のセルをモニターして、該他の複数のセルの１つが前記１つの無線アクセス技術に適したセルよりも適しているかどうかを識別するモニターを行うステップと、該モニターステップに続いて、最も適しているものとしてサーチされた複数の無線アクセス技術の中から識別されたセルへ移行するステップとを含む。【選択図】      図１
2004173265.tif 000002
【特許請求の範囲】
【請求項１】
複数の無線アクセス技術に従って動作すべく構成されたセルラー無線通信装置のためのネットワーク取得方法であって、１つの無線アクセス技術に適したセルを識別するサーチを行い、前記１つの無線アクセス技術に適したセルを識別するステップを含むネットワーク取得方法において、
前記複数の無線アクセス技術における他の複数のセルをモニターして、該他の複数のセルの１つが前記１つの無線アクセス技術に適したセルよりも適しているかどうかを識別するモニターを行うステップと、該モニターステップに続いて、最も適しているものとしてサーチされた複数の無線アクセス技術の中から識別されたセルへ移行するステップとを含むことを特徴とするネットワーク取得方法。
【請求項２】
前記他の無線アクセス技術におけるセルをモニターするステップは、前記複数の無線アクセス技術における隣接セルをモニターするステップを含む請求項１に記載のネットワーク取得方法。
【請求項３】
前記他の無線アクセス技術におけるセルをモニターするステップは、複数の他の無線アクセス技術のすべてを読み出す場合を除いて、前記識別されたセルにおけるＢＡリストを得るステップを含む請求項１または２に記載のネットワーク取得方法。
【請求項４】
セルの適切度はそこで受信された信号の強度に基づいて決定される請求項１〜３のいずれかに記載のネットワーク取得方法。
【請求項５】
適切なセルを識別するステップは、そこで受信された信号の強度の微分量で決定するステップを含む請求項１〜３のいずれかに記載のネットワーク取得方法。
【請求項６】
複数の無線アクセス技術に従って動作すべく構成されたセルラー無線通信装置であって、１つの無線アクセス技術に適したセルを識別するためにサーチを行う手段と、前記複数の無線アクセス技術の他の１つにおけるセルをモニターするための手段とを含むセルラー無線通信装置において、
前記１つの無線アクセス技術に適したセルの識別に続いて、前記複数の無線アクセス技術における他の複数のセルをモニターして、モニターされた１つのセルが前記１つの無線アクセス技術に適したセルよりも適しているかどうかの識別を行い、更に、前記モニターに続いて、最も適しているものとして識別されたセルへ移行する手段を含むことを特徴とするセルラー無線通信装置。
【請求項７】
請求項２〜５の１つ以上のステップに従って動作するように構成された請求項６に記載のセルラー無線通信装置。
【請求項８】
複数の無線アクセス技術に従って動作すべく構成されたセルラー無線通信装置のためのネットワーク取得方法であって、第１の無線アクセス技術に適した適切なセルを識別するサーチを行う第１のステップと、前記適切なセルがあるかを判別する第２のステップとを含むネットワーク取得方法において、
前記第２のステップにおいて前記適切なセルが無い場合、第２の無線アクセス技術をサーチする第３のステップと、
該第３のステップに続いて適切なセルがあるかを判別する第４のステップと、
前記第２のステップあるいは前記第４のステップにおいて前記適切なセルがある場合、ＢＡリストを読み出す第５のステップと、
該第５のステップに続いて両方の無線アクセス技術における隣接セルをモニターする第６のステップと、
該第６のステップに続いてより適切なセルがあるかを判別する第７のステップと、
該第７のステップにおいて前記より適切なセルが無い場合、前記第２あるいは前記第４のステップで判別されたオリジナルのセルへ移行する第８のステップと、
前記第７のステップにおいて前記より適切なセルがある場合、該より適切なセルへ移行する第９のステップとを含むことを特徴とするネットワーク取得方法。
【発明の詳細な説明】
【技術分野】
【０００１】
本発明は、セルラー方式の通信装置のためのネットワーク取得に使用される方法及びセルラー無線通信装置に関する。
【背景技術】
【０００２】
携帯電話のようなセルラー方式の通信装置は、ますますポピュラーで、広く採用されるようになってきており、多くの例において、商用及び家庭用の両方のための通信の重要な手段になってきている。
【０００３】
このような使用がより広範囲になるにつれて、この種の装置の潜在的な欠点及び制限された形態がより明らかになってきている。例えば、携帯電話が最初にオンにされる時には、携帯電話が適切な通信ネットワークを得ることができ、続いてそのネットワーク上の通信交換に移ることができるように、取得手続きを行う必要がある。携帯電話をオンにしてから現実にネットワークを取得するまでの時間は、一般にユーザに見過ごされるようにはなっておらず、その時間の間、ネットワーク取得上で他の操作が何ら行われないので、ユーザに関する限りデッドタイム（むだ時間）を含むことになる。ネットワークを取得するのに必要な時間がより長くなるほど、この時間は、おそらくユーザによって注目されることとなり、潜在的ないらだちを導くことになる。さらに、ネットワーク取得手続きのために、単なる通信手続きのために生じる必要電力量に比べて大きな電力量を消費することが携帯電話に要求される。
【０００４】
異なったモバイル通信モード、デュアルモード、実際にはマルチモードを提供する携帯電話に対する更なる要求、実施の可能性といった観点からすると、携帯電話には１つ以上のモードでのサーチが必要になってくると思われる。したがって、ネットワーク取得の潜在的な遅れ、またそれに関連したユーザのいらだちが、より頻繁に経験されるようになると思われる。以下に更に説明されるように、ネットワーク取得には、１セットの周波数（通常、それはネットワークの最も適切なセルを識別するための試行において周波数帯によって定義される周波数）を通したサーチが要求される。デュアルモード操作では、最も適切なセルを見つけるだけでなく、少なくとも携帯電話のデュアルモード操作が可能な最適なネットワークを通してサーチするために複数セットの周波数を介する必要があると思われる。
【０００５】
以下に、このことを図２を参照して説明する。
【０００６】
周知のように、無線アクセス技術（以下、ＲＡＴと呼ぶ）の例としては、ＦＤＭＡ、ＴＤＭＡ、ＣＤＭＡの他、マルチキャリアＣＤＭＡ、更にはＷ−ＣＤＭＡ等の第３世代無線アクセス技術がある。３ＧＰＰ（３ｒｄ  Ｇｅｎｅｒａｔｉｏｎ  Ｐａｒｔｎｅｒｓｈｉｐ  Ｐｒｏｊｅｃｔ）仕様の下では、電話機は一度に複数のＲＡＴ全体をサーチすることを要求される。複数のＲＡＴの相対的な優先度は電話機内に設定されており、従って、デュアルモードＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）／ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）電話機では、ＧＳＭまたはＵＭＴＳの初期サーチが試行され、適切なセルが第１のＲＡＴで見つからない場合、プロセスは初期の選択の間に第２のＲＡＴを探す。
【０００７】
しかしながら、第２のＲＡＴにおけるセルは、第１のＲＡＴにおけるセルより適切であるかもしれない。操作上における現在のスキームの下では、これは、電話機が第１のＲＡＴにおいて見つかったセルへ移行した後、検出され、隣接するセルリスト（ＢＡリスト）が読まれ、第２のＲＡＴのセルがモニターされる。その後、再選択が実行される。これが相互ＲＡＴ再選択であるので、それは単純な手続きでなく、重要な信号トラフィックを含んでいる。不都合なことに、これは時間がかかり、電力を消費する。
【０００８】
図２において、デュアルモード電話機のための周知の方法は、ステップ１２で適切なセルが見つかるどうかを判定するために、ステップ１０で第１のＲＡＴをサーチすることをスタートする。
【０００９】
ステップ１２で適切なセルが見つからないことが判定されると、第２のＲＡＴのセルを識別するサーチのためのステップ１４に移り、ステップ１６で適切なセルが見つかるかどうか判定が行われる。
【００１０】
ステップ１６で、第２のＲＡＴにおいて適切なセルが見つからないことが判別されると、待機ステップ１８を経由して最初のステップ１０に戻る。
【００１１】
しかしながら、ステップ１２あるいは１６のどちらかで、適切なセルが複数のＲＡＴのうちの１つに存在することが見つかると、ステップ２０においてネットワーク取得のためのセルに対して移行する決定がなされる。
【００１２】
しかしながら、現在の技術では、より適切なセルがどこにも存在しないことを確実にするために、初期の適切なセルが識別されて、第１、第２の両方のＲＡＴのセルに用意されたＢＡ（隣接セル）リストを読むことによりステップ２２、２４に進み、第１、第２の両方のＲＡＴにおける隣接セルをモニタリングする。ステップ１４の後、ステップ２６で初期に識別されたセルより適切なセルが存在しないことがわかると、ステップ２８に進んで動作の待機モードに入る。
【００１３】
しかしながら、ステップ２６において、ステップ２０で移行されたセルよりより適切なセルが見つけられたことが判別されると、その後、ステップ３０に進み、より適切なセルはステップ２０で移行されたセルとは異なったＲＡＴにおけるセルかどうかの判別がなされる。
【００１４】
もし、そうでなければ、ステップ３２でＲＡＴにおけるセルが再選択され、ステップ２８の待機モードに移行する。
【００１５】
しかしながら、ステップ３０においてより適切なセルが他のＲＡＴにおけるものであることがわかると、ステップ３４において最初のＲＡＴから外れて、他の２つのＲＡＴに関連したセルに対して移行することが必要となる。
【００１６】
以上のような処理は、時間遅れ、特に電力消費に関して不利である。それらの手続きはネットワークに対して大きなレベルの信号を送信することを必要とするので、ステップ２０及びステップ３４は比較的大きな電力量を消費する。
【００１７】
この種の関連技術は、例えば特許文献１に開示されている。
【特許文献１】特開平１０−１９１４１９号公報
【発明の開示】
【発明が解決しようとする課題】
【００１８】
本発明は、これまでの方法及び装置を越える利点を持つネットワーク取得方法及びセルラー無線通信装置を提供することを目的とする。
【課題を解決するための手段】
【００１９】
本発明の一態様によれば、複数の無線アクセス技術に従って動作すべく構成されたセルラー無線通信装置のためのネットワーク取得方法であって、１つの無線アクセス技術に適したセルを識別するサーチを行い、前記１つの無線アクセス技術に適したセルを識別するステップを含むネットワーク取得方法において、前記複数の無線アクセス技術における他の複数のセルをモニターして、該他の複数のセルの１つが前記１つの無線アクセス技術に適したセルよりも適しているかどうかを識別するモニターを行うステップと、該モニターステップに続いて、最も適しているものとしてサーチされた複数の無線アクセス技術の中から識別されたセルへ移行するステップとを含むネットワーク取得方法が提供される。
【００２０】
本発明は特に、セルラー無線通信装置のような電話機がオンにされる時に、ユーザが体感するデッドタイムを低減し、電話機の消費電力を低減するための初期手続きを改善する効果を持つ。特に、本方法は、電話機が不要な信号情報を送信することをセーブでき、ネットワーク取得手続きのために大きな消費電力が要求されることをセーブできる。ネットワークもまた、不要な信号処理を行うことがセーブされ、プロセッサーの負荷がセーブされる。
【００２１】
１つの前記無線アクセス技術における適切なセルの識別の後に続いて、本方法は複数の無線アクセス技術のすべてにおける隣接セルをモニターするように構成されることができる。
【００２２】
更に、１つの前記無線アクセス技術における適切なセルの識別の後に続いて、本方法は利用可能な無線アクセス技術の他方を除いて、識別されたセルの無線アクセス技術のために用意されたＢＡリスト（隣接セルリスト）を得るように構成されることができる。
【００２３】
このような方法において、本方法は両方の無線アクセス技術におけるセルをモニターするように構成される。
【００２４】
好ましくは、適切なセルを識別するためにサーチする場合、セルはそこで受信された信号の、信号強度、あるいは信号強度の微分量に従ってランク付けされる。
【００２５】
本発明の他の態様によれば、複数の無線アクセス技術に従って動作すべく構成されたセルラー無線通信装置であって、１つの無線アクセス技術に適したセルを識別するためにサーチを行う手段と、前記複数の無線アクセス技術の他の１つにおけるセルをモニターするための手段とを含むセルラー無線通信装置において、前記１つの無線アクセス技術に適したセルの識別に続いて、前記複数の無線アクセス技術における他の複数のセルをモニターして、モニターされた１つのセルが前記１つの無線アクセス技術に適したセルよりも適しているかどうかの識別を行い、更に、前記モニターに続いて、最も適しているものとして識別されたセルへ移行する手段を含むセルラー無線通信装置が提供される。
【００２６】
本発明によるネットワーク取得方法は、より詳細には、複数の無線アクセス技術に従って動作すべく構成されたセルラー無線通信装置のためのネットワーク取得方法であって、第１の無線アクセス技術に適した適切なセルを識別するサーチを行う第１のステップ（３６）と、前記適切なセルがあるかを判別する第２のステップ（３８）とを含むネットワーク取得方法において、前記第２のステップにおいて前記適切なセルが無い場合、第２の無線アクセス技術をサーチする第３のステップ（４０）と、該第３のステップに続いて適切なセルがあるかを判別する第４のステップ（４２）と、前記第２のステップあるいは前記第４のステップにおいて前記適切なセルがある場合、ＢＡリストを読み出す第５のステップ（４６）と、該第５のステップに続いて両方の無線アクセス技術における隣接セルをモニターする第６のステップ（４８）と、該第６のステップに続いてより適切なセルがあるかを判別する第７のステップ（５０）と、該第７のステップにおいて前記より適切なセルが無い場合、前記第２あるいは前記第４のステップで判別されたオリジナルのセルへ移行する第８のステップ（５２）と、前記第７のステップにおいて前記より適切なセルがある場合、該より適切なセルへ移行する第９のステップ（５４）とを含む。
【００２７】
セルラー無線通信装置は、上述した方法の各ステップに従って動作するように構成される。
【発明の効果】
【００２８】
本発明によれば、デッドタイムが少なく、電力消費量も少なくて済むネットワーク取得方法及びセルラー無線通信装置を提供することができる。
【発明を実施するための最良の形態】
【００２９】
図１には、図２において説明した従来技術を越える利点を持つ本発明の実施例が示されている。
【００３０】
１つのＲＡＴにおいて識別されたセルへ移行する前に、代わりのＲＡＴのセルに用意されたＢＡリスト（隣接セルリスト）が読まれるべきであり、いずれかが適している場合にはセルがモニターされる。これは、２番目に長い（我々が他の応用において説明するパラレルサーチ技術が組み合わされない限り）時間のごく一部を要する初期のサーチ手続きを導く。
【００３１】
しかしながら、本システムは、電話機が不必要な信号を送信すること及び大きな電力を消費することを潜在的にセーブする。もちろん、これは、ネットワークが特に節電に関心を寄せなくても、ネットワークが不必要な信号を処理することをセーブし、本システムは、ネットワークの信号処理装置及びプロセッサーの負荷を軽減することができ、それは有効な効果である。
【００３２】
図１には、図２に示された初期手続きに類似した手続きが示されており、それは、ステップ３６において、第１のＲＡＴのサーチが識別のために導入され、ステップ３８では、適切なセルがあるかどうかが判別される。もし、適切なセルが無い場合、ステップ４０に進んで第２のＲＡＴを識別するためのサーチが行われ、ステップ４２では、適切なセルが第２のＲＡＴにあるかどうかの識別が行われる。適切なセルが第２のＲＡＴから決定されない場合、処理は待機ステップ４４を経由して第１のステップ３６に戻る。
【００３３】
しかしながら、ステップ３８で、適切なセルがステップ３８でサーチされた初期のＲＡＴにおいて識別されるか、あるいはステップ４２でサーチされた第２のＲＡＴにおいて適切なセルが識別される場合、ステップ４６に移って代わりのＲＡＴにおけるセルに用意されたＢＡリストが読まれ、ステップ３８で識別されたセルに類似したより適切なセルが存在する場合、セルは識別のためにモニターされる（ステップ４８）。
【００３４】
重要なことは、本発明によれば、この段階ではセルへの移行はまだ起こっていないことである。
【００３５】
ステップ４６、４８に続いて、ステップ５０においてステップ３８で識別されたセルよりもより適切なセルがあるかどうかが判別される。
【００３６】
より適切なセルが無ければ、本方法は、ステップ３８及び４２のどちらかで見つかったオリジナルのセルへ電話機が移行するステップ５２に進む。
【００３７】
しかしながら、ステップ５０における判別結果が有望なより適切なセルがあることを示す場合、有望なより適切なセルへ移行するために、ステップ５４が実行される。
【００３８】
ステップ５２、５４のいずれかにおける適切なセルへの移行に続いて、本方法は、電話機のための待機モード５６へ進む。
【００３９】
このように、ＲＡＴは、結局は、１回だけの移行ステップ、しかもそれに続く再移行ステップ無しで、最も適切なセルを提供することが図１から推測される。
【００４０】
これは、図２における段階Ａと図１における段階Ｂとの比較により最適に示されており、段階Ｂは段階Ａよりも少ない電力消費で済む。
【００４１】
本システムはデュアルモードサーチであり、３ＧＰＰ仕様と互換性をもつ方法で操作する。しかしながら、本システムは３ＧＰＰ仕様に記述された技術に制限されるものではなく、代わりのＲＡＴセルについての情報がＲＡＴブロードケース情報で提供される、いずれのマルチＲＡＴシステムにも適用可能である。
【図面の簡単な説明】
【００４２】
【図１】本発明の実施例による複数の無線アクセス技術に関連して用いられるネットワーク取得方法を示すフローチャートである。
【図２】現在知られている複数の無線アクセス技術に関連するネットワーク取得を示すフローチャートである。
【図１】
2004173265.tif 000003
【図２】
2004173265.tif 000004